(57)【特許請求の範囲】
【請求項１】
二次電池の充電電流または放電電流の流れを開閉する電流制御スイッチ部と、
充放電装置との接続インターフェースを提供するコネクター部と、
上記充放電装置との通信インターフェースを提供する通信端子部と、
二次電池から電源の供給を受け電源を必要とする部品に印加する電源部と、
電源印加スイッチ部が設けられ上記二次電池から供給される電源を上記電源部に印加または遮断する電源供給ラインと、
上記コネクター部を通じた上記充放電装置の接続時、上記通信端子部を通じて通信要求信号の受信を感知し、前記二次電池の充電電流または放電電流が流れる高電位ラインから予め設定した適正なレベルの電圧が感知されれば、上記電源印加スイッチ部にターンオン信号を印加するスイッチ制御部と、
上記電源部と連結され電源印加可否に従って二次電池の管理動作を開始または終了する制御部とを含むことを特徴とする二次電池管理装置。
【請求項２】
上記制御部は、上記二次電池の管理動作を開始した後、上記電流制御スイッチ部をターンオンさせることを特徴とする請求項１に記載の二次電池管理装置。
【請求項３】
上記電源供給ラインは、上記コネクター部に備えられた第１及び第２端子にそれぞれ連結された第１電源供給ラインと第２電源供給ラインとを含み、
上記第１電源供給ラインと上記第２電源供給ラインとは、上記第１及び第２端子が上記充放電装置の対応のコネクターに備えられた短絡端子と連結される場合、電気的に連結され、上記第１及び第２端子が上記対応のコネクターに連結されない場合、電気的に分離されることを特徴とする請求項１に記載の二次電池管理装置。
【請求項４】
上記電源印加スイッチ部は、上記第１電源供給ラインまたは上記第２電源供給ラインに設けられることを特徴とする請求項３に記載の二次電池管理装置。
【請求項５】
上記コネクター部は、上記充放電装置の接続及び接続解除時にそれぞれ電源導通状態及び電源遮断状態を提供し、
上記電源供給ラインは、上記電源導通状態と上記電源遮断状態とのスイッチングによって上記電源部に電源を印加または遮断することを特徴とする請求項１に記載の二次電池管理装置。
【請求項６】
上記スイッチ制御部は、上記コネクター部を通じた上記充放電装置の接続解除時に、上記通信端子部を通じた通信要求信号の受信停止を感知して上記ターンオン信号の印加を停止することを特徴とする請求項１に記載の二次電池管理装置。
【請求項７】
上記二次電池のセル電圧を測定して上記制御部に出力するセル電圧測定部をさらに含み、
上記制御部は、特定のセルの電圧またはすべてのセルの電圧が過放電状態に到逹したことを感知すれば、上記電流制御スイッチ部をターンオフさせた後、上記電源印加スイッチ部をターンオフさせることを特徴とする請求項１に記載の二次電池管理装置。
【発明の詳細な説明】
【技術分野】
【０００１】
本発明は、二次電池管理装置に関するものであって、さらに詳しくは、二次電池の管理動作が必要でない状態では電源の消費を完全に遮断することができる二次電池管理装置に関する。
【背景技術】
【０００２】
近年、ノートパソコンや携帯電話などのようなモバイル装置、電気自転車、電気自動車、ハイブリッド自動車のような各種の動力移動手段、停電時に電源を供給するための電力バックアップ装置、大容量の電力を貯蔵し他の装置に電力を供給する大容量電力貯蔵装置などに二次電池が幅広く使われている。
【０００３】
多種多様な電池の中でリチウムを用いた電池は、他の種類の電池に比べてエネルギー密度及び作動電圧が高く、寿命が長いとの長所から最も多く使われている。
【０００４】
二次電池は、ＢＭＳ（Ｂａｔｔｅｒｙ Ｍａｎａｇｅｍｅｎｔ Ｓｙｓｔｅｍ）と呼ばれる電池管理装置と結合されて使われる。電池管理装置は、二次電池の充電と放電とを適正なレベルで制御し、過放電、過充電、過電流などの異常状況が発生すれば、二次電池の充電や放電を中止し二次電池の爆発や性能の低下を防止する動作を遂行する。
【０００５】
二次電池管理装置は、上述のような動作を遂行するために二次電池から電源の供給を受けるマイクロプロセッサーを含む。マイクロプロセッサーは、単位時間当り消耗する電力が大きくないので、二次電池の使用が中止された状態でも動作状態をそのまま維持する。すなわち、二次電池が充電モードまたは放電モードでないときにも、マイクロプロセッサーは二次電池の電圧、電流、温度などをモニタリングしながら持続的に二次電池の管理動作を維持する。したがって、二次電池が長期間使われなければ、マイクロプロセッサーによる電力消耗によって二次電池の充電状態（Ｓｔａｔｅ Ｏｆ Ｃｈａｒｇｅ：ＳＯＣ）が持続的に低くなる。
【０００６】
このようなＳＯＣの低下は無駄な電力の消耗という面で望ましくない。二次電池が充電または放電状態でなければ、事実上二次電池管理装置の動作が必要でないからである。また、二次電池のＳＯＣ低下は、いくつかの特殊な状況で二次電池を過放電状態にしてしまう問題を誘発し得る。例えば、二次電池を製造するときには、一定のレベルのＳＯＣ（例：３０％）になるまで二次電池を充電させる。しかし、二次電池が製造された後在庫管理倉庫や輸出用コンテナに長期間保管されるか、流通期間が長くなって二次電池の使用開始が遅くなれば、二次電池管理装置によって二次電池の電力がすべて消耗してしまい、二次電池が過放電状態に到逹する恐れがある。
【０００７】
したがって、本発明が属する技術分野では、二次電池の充電及び放電をモニタリングすべき時点とそうでない時点を感知して二次電池管理装置に動作電源を印加／遮断することを制御することができる技術が求められている。
【発明の概要】
【発明が解決しようとする課題】
【０００８】
本発明は、上述のような従来技術の問題を解決するために創案されたものであって、充放電装置との相互接続または充放電装置からの通信要求信号の印加を感知して、二次電池から供給される電力の使用と二次電池の管理動作を開始することができる二次電池管理装置を提供することにその目的がある。
【０００９】
本発明の他の目的は、充放電装置との相互接続解除または充放電装置からの通信要求信号の印加中断を感知して、二次電池から供給される電力使用の中止と二次電池の管理動作を中断することができる二次電池管理装置を提供することにその目的がある。
【００１０】
本発明のまた他の目的は、二次電池が過放電状態に到逹した場合、二次電池と充放電装置との電気的連結を解除し、二次電池から供給される電力使用を中止することができる二次電池管理装置を提供することにその目的がある。
【課題を解決するための手段】
【００１１】
上述のような技術的課題を達成するための本発明による二次電池管理装置は、二次電池の充電電流または放電電流の流れを開閉する電流制御スイッチ部と、充放電装置との接続可否に従って下記電源供給ラインに電源導通状態と電源遮断状態とを選択的に提供するコネクター部と、上記充放電装置との通信インターフェースを提供する通信端子部と、二次電池から電源の供給を受け電源を必要とする部品に印加する電源部と、電源印加スイッチ部が設けられ上記二次電池から供給される電源を上記電源部に印加または遮断する電源供給ラインと、上記コネクター部を通じた上記充放電装置の接続時、上記通信端子部を通じて通信要求信号の受信を感知して上記電源印加スイッチ部にターンオン信号を印加するスイッチ制御部と、上記電源部と連結され電源印加可否に従って二次電池の管理動作を開始または終了する制御部とを含む。
【００１２】
本発明の他の側面によれば、上記スイッチ制御部が通信要求信号の受信を感知して電源印加スイッチ部をターンオンさせる動作を遂行する場合、上記コネクター部は充放電装置との接続インターフェースのみを提供しても構わない。逆に、上記コネクター部が充放電装置との接続可否に従って電源供給ラインに電源導通状態と電源遮断状態とを選択的に提供する場合、上記スイッチ制御部は電源印加スイッチ部にターンオン信号を印加する構成を備えなくても構わない。
【００１３】
望ましくは、上記制御部は、二次電池の管理動作を開始した後、上記電流制御スイッチ部をターンオンさせる。
【００１４】
望ましくは、上記電源供給ラインは、上記コネクター部に備えられた端子に独立して連結された第１電源供給ラインと第２電源供給ラインとを含み、上記第１電源供給ラインと上記第２電源供給ラインとは、上記充放電装置の対応のコネクターに備えられた短絡端子との連結可否に従って電気的に連結または分離される。
【００１５】
本発明において、上記スイッチ制御部は、上記コネクター部を通じた上記充放電装置の接続解除時に、上記通信端子部を通じた通信要求信号の受信停止を感知して上記ターンオン信号の印加を停止し得る。
【００１６】
選択的に、上記スイッチ制御部は、二次電池の充電電流または放電電流が流れるラインの電圧を測定し、電圧が予め設定したレベル以上であれば、上記電源印加スイッチ部にターンオン信号を印加し得る。
【００１７】
望ましくは、本発明による二次電池管理装置は、二次電池のセル電圧を測定して上記制御部に出力するセル電圧測定部をさらに含み、上記制御部は、特定のセルの電圧またはすべてのセルの電圧が過放電状態に到逹したことを感知すれば、上記電流制御スイッチ部をターンオフさせた後、上記電源印加スイッチ部をターンオフさせる。
【発明の効果】
【００１８】
本発明の一側面によれば、二次電池管理装置と充放電装置との相互接続及び相互接続の解除によって二次電池管理装置の動作を開始／終了することで、充放電装置の接続解除が維持される間に二次電池管理装置が二次電池の電力を消耗することが防止できる。本発明の他の側面によれば、充放電装置から伝送される通信要求信号の感知可否に従って二次電池管理装置の動作を開始／終了することで、充放電装置の接続解除が維持される間に二次電池管理装置が二次電池の電力を消耗することが防止できる。
【００１９】
本発明のまた他の側面によれば、二次電池の過放電による保護動作を遂行した後、二次電池管理装置の動作を中断することで、過放電保護動作の遂行後に二次電池管理装置が二次電池の電力を消耗することが防止できる。
【００２０】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはならない。
【図面の簡単な説明】
【００２１】
【図１】本発明の実施例による二次電池管理装置の構成と共に、二次電池管理装置が充放電装置と相互接続された状態を示すブロック図である。
【図２】本発明の実施例による二次電池管理装置と充放電装置との相互接続が解除された状態を示すブロック図である。
【図３】本発明の実施例による充放電装置の構成を概略的に示すブロック図である。
【発明を実施するための形態】
【００２２】
以下、添付した図面を参照しながら本発明の望ましい実施例を詳しく説明する。これに先立って、本明細書及び請求範囲に使われた用語や単語は通常的や辞書的な意味に限定して解釈されてはならず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２３】
図１は、本発明の実施例による二次電池管理装置２０の構成と共に、二次電池管理装置２０が充放電装置３０と接続された状態を示すブロック図である。
【００２４】
図１を参照すれば、二次電池管理装置２０は、複数のセルを備えた二次電池１０と結合されて二次電池１０の充電と放電とを制御し、過充電、過放電、過電流などの異常状況から二次電池を保護する機能を果たす。
【００２５】
二次電池管理装置２０は、電流制御スイッチ部２１、コネクター部２２、電源供給ライン２３ａ、２３ｂ、及び制御部２４を含む。
【００２６】
電流制御スイッチ部２１は、制御部２４の統制に従って二次電池１０の充電電流または放電電流が流れる経路を開閉する。電流制御スイッチ部２１がターンオンされれば、充電モードでは、充放電装置３０から充電電流が二次電池１０側へと流れ、放電モードでは、二次電池１０から放電電流が充放電装置３０側へと流れる。逆に、電流制御スイッチ部２１がターンオフされれば、充電モードでは、二次電池１０側へと流れる充電電流が遮断され、放電モードでは、充放電装置３０側へと流れる放電電流が遮断される。電流制御スイッチ部２１は、電界効果トランジスター（ＦＥＴ）素子のような半導体素子やリレー素子などで具現できるが、本発明が電流制御スイッチ部２１の種類によって限定されるものではない。
【００２７】
コネクター部２２は、充放電装置３０との機械的な接続インターフェースを提供する。従って、コネクター部２２は、充放電装置３０側に備えられた対応のコネクター部３１と結合される。コネクター部２２と対応のコネクター部３１とは、それぞれメスコネクター及びオスコネクター、またはその反対であり得る。コネクター部２２と対応のコネクター部３１とが形成する結合構造は、異種の機器間に電気信号を伝達するために用いられ得るコネクターの結合構造であれば、いずれでも採用可能である。コネクター部２２は、充電電流または放電電流が流れる高電位ライン（パック＋）及び低電位ライン（パック−）が接続される端子２２１、２２２と、高電位ライン（パック＋）から分岐された第１電源供給ライン２３ａが接続される端子２２３と、二次電池１０から供給される電源が印加される部品と連結された第２電源供給ライン２３ｂが接続される端子２２４とを含む。そして、対応のコネクター部３１は、上記高電位ライン（パック＋）及び低電位ライン（パック−）と対応する充放電装置３０側のラインが接続される端子３１１、３１２と、コネクター２２及び対応のコネクター３１が相互接続されたとき、第１電源供給ライン２３ａと第２電源供給ライン２３ｂとを電気的に連結させる短絡端子３１３とを含む。コネクター２２と対応のコネクター３１とが接続解除されれば、短絡端子３１３によって形成された第１電源供給ライン２３ａと第２電源供給ライン２３ｂとの電気的連結は自動的に解除される。そうすると、二次電池１０から供給される電源が二次電池管理装置２０に印加されないので、二次電池管理装置２０の動作が自動的に中断される。
【００２８】
図２は、二次電池管理装置２０と充放電装置３０とが互いに分離されることで、対応のコネクター３１側の短絡端子３１３によって形成された第１電源供給ライン２３ａと第２電源供給ライン２３ｂとの電気的連結が解除された様子を示す図面である。
【００２９】
以下、コネクター２２と対応のコネクター３１との相互結合時、短絡端子３１３を通じて第１電源供給ライン２３ａと第２電源供給ライン２３ｂとが電気的に連結されて二次電池１０の電源が二次電池管理装置２０に供給できる状態を「電源導通状態」と称する。また、コネクター２２と対応のコネクター３１との相互結合解除時、第１電源供給ライン２３ａと第２電源供給ライン２３ｂとの電気的連結が解除されて二次電池１０の電源が二次電池管理装置２０に供給できない状態を「電源遮断状態」と称する。ひいては、コネクター２２と対応のコネクター３１との結合可否に従って電源導通状態と電源遮断状態とが決定されるので、コネクター２２が電源供給ライン２３ａ、２３ｂに電源導通状態と電源遮断状態とを提供すると理解しても構わない。
【００３０】
電源供給ライン２３ａ、２３ｂに電源導通状態と電源遮断状態とを提供する方式は、上記のものに限定されるのではない。従って、コネクター２２と対応のコネクター３１との接続または接続解除によって第１電源供給ライン２３ａと第２電源供給ライン２３ｂとが電気的に連結されるか連結解除されることが具現可能な構成であれば、いずれでも本発明の範囲に属すると理解しなければならない。例えば、コネクター２２と対応のコネクター３１とが互いに結合される面に第１電源供給ライン２３ａと第２電源供給ライン２３ｂとの間の連結をスイッチングする機械的リレーの接点を設け、コネクター２２と対応のコネクター３１とが結合されれば、リレーの接点が連結され、コネクター２２と対応のコネクター３１とが結合解除されれば、リレーの接点が解除される方式も採用し得る。
【００３１】
コネクター２２と対応のコネクター３１との相互接続によって電源導通状態になれば、二次電池管理装置２０に含まれた各種の部品の中で電源を必要とする部品に電源を供給するＢＭＳ電源部２５に二次電池１０から供給される電源が印加される。逆に、コネクター２２と対応のコネクター３１との相互接続解除によって電源遮断状態になれば、ＢＭＳ電源部２５に二次電池１０から供給される電源の印加が遮断される。
【００３２】
制御部２４は、電源導通状態になれば、ＢＭＳ電源部２５を通じて動作電源の印加を受けて二次電池１０の管理動作を開始する。すなわち、制御部２４は、二次電池の管理動作に必要なプログラムを起動させた後、電流制御スイッチ部２１をターンオンさせる。その後、制御部２４は、二次電池１０の充放電を制御し、二次電池１０に対する各種の保護動作を遂行する。一方、制御部２４は、電源遮断状態になれば、ＢＭＳ電源部２５から動作電源の供給を受けることができない。従って、制御部２４は、二次電池１０に対する管理動作を中断する。これによって、電源遮断状態では、二次電池管理装置２０の動作による二次電池１０の電力消耗が防止される。制御部２４は、マイクロプロセッサーのような半導体チップで具現できるが、本発明がこれに限定されるものではない。
【００３３】
必須ではないが、二次電池管理装置２０は、充放電装置３０と通信信号を送受信することができる通信端子部２８をさらに含み得る。二次電池管理装置２０に通信端子部２８が備えられる場合、充放電装置３０には対応の通信端子部３２が備えられ、通信端子部２８は、対応の通信端子部３２と相互接続または相互接続解除されることが望ましい。通信端子部２８は、対応の通信端子部３２と接続されて通信インターフェースを形成する。
【００３４】
制御部２４は、通信端子部２８と対応の通信端子部３２との結合を通じて形成された通信インターフェースを通じて充放電装置３０と周期的に通信を遂行することができる。すなわち、充放電装置３０は、一定の周期で通信要求信号を通信インターフェースを通じて二次電池管理装置２０に伝送することができる。そうすると、制御部２４は、通信要求信号を周期的に受信した後、充放電装置３０が必要とするデータを通信インターフェースを通じて伝送する。制御部２４が伝送できるデータとしては、二次電池１０の電圧、充電電流または放電電流の大きさ、二次電池１０の温度、二次電池１０の電圧及び電流プロファイル、ＳＯＣ（Ｓｔａｔｅ Ｏｆ Ｃｈａｒｇｅ）などが挙げられる。しかし、本発明は、通信インターフェースを通じて伝送される情報の種類によって限定されるものではない。
【００３５】
代案的な実施例で、二次電池管理装置２０は、通信端子部２８を通じて通信要求信号が受信されるか否かに従って二次電池１０に対する管理動作を開始する。すなわち、二次電池管理装置２０は、通信端子部２８を通じて通信要求信号が受信されれば、二次電池１０から電源供給ライン２３ａ、２３ｂを通じて動作電源の供給を受けて動作を開始する。
【００３６】
上述のような機能を具現するために、二次電池管理装置２０は、第２電源供給ライン２３ｂ上に設けられた電源印加スイッチ部２６をさらに含み得る。もちろん、電源印加スイッチ部２６は、第１電源供給ライン２３ａに設けられても構わない。電源印加スイッチ部２６は、電界効果トランジスターのような半導体素子やリレースイッチなどに具現できる。しかし、本発明が電源印加スイッチ部２６の種類によって限定されるのではない。また、二次電池管理装置２０は、通信端子部２８を通じて充放電装置３０から印加される通信要求信号の受信を感知し、電源印加スイッチ部２６にターンオン信号を印加するスイッチ制御部２７をさらに含み得る。二次電池管理装置２０と充放電装置３０との接続解除によって通信端子部２８を通じて通信要求信号が受信されなければ、スイッチ制御部２７は、これを感知し電源印加スイッチ部２６にターンオン信号の印加を中断する。そうすると、電源印加スイッチ部２６がターンオフされてＢＭＳ電源部２５に二次電池１０から供給される電源が印加されないので、二次電池管理装置２０の動作が中断されて二次電池１０の電力消耗が防止される効果がある。
【００３７】
必須ではないが、スイッチ制御部２７は、二次電池１０の充電電流または放電電流が流れる高電位ライン（パック＋）の電圧を感知し、電圧が適正なレベルであれば、電源印加スイッチ部２６にターンオン信号を印加し得る。ここで、適正なレベルは予め設定できる。
【００３８】
二次電池管理装置２０は、二次電池１０の電圧をモニタリングして二次電池１０のすべてのセルの電圧または特定のセルの電圧が放電下限値まで低下した場合、過放電保護動作を遂行した後動作を中止することができる。このために、二次電池管理装置２０は、二次電池１０に含まれた各セルの電圧を測定し制御部２４に出力するセル電圧測定部２９をさらに含み得る。このような場合、制御部２４は、セル電圧測定部２９によって測定された各セル電圧データから二次電池１０のすべてのセルの電圧または特定のセルの電圧が放電下限値まで低下して過放電状態が誘発されたか否かが判別できる。そして、過放電状態が誘発されたと判別されれば、電流制御スイッチ部２１をターンオフさせて放電電流の流れを遮断した後、スイッチ制御部２７を制御して電源印加スイッチ部２６をターンオフさせる。そうすると、ＢＭＳ電源部２５に供給されていた動作電源が遮断されることで、二次電池管理装置２０の動作が中断され、二次電池１０の電力消耗が防止される効果がある。
【００３９】
充放電装置３０は、充電モードでは二次電池１０に充電電流を提供し、放電モードでは二次電池１０から放電電流の供給を受ける装置である。
【００４０】
図３は、充放電装置３０の一実施例を示すブロック図である。
【００４１】
図３を参照すれば、充放電装置３０は、充電電流を提供するために商用交流電源３３の供給を受けて充電電流を生成することができる充電ユニット３４を含む。選択的に、充放電装置３０は、商用交流電源３３の供給を受けて直流電源を生成し、自己負荷または外部負荷３７に供給する定電流供給ユニット３５をさらに含み得る。選択的に、充放電装置３０は、二次電池管理装置２０側に電池の状態情報を要求して伝送され、伝送された情報を有無線通信網を通じてモニタリングサーバーのような外部の管理装置に伝送する通信ユニット３６を含み得る。
【００４２】
必須ではないが、二次電池管理装置２０と充放電装置３０とは相互連動して負荷３７に対する電源バックアップシステムを構成し得る。すなわち、普段には、充放電装置３０は、商用交流電源３３の供給を受け、直流電源に変換した後、負荷３７に印加する。また、これとは並列的に、充放電装置３０は、商用交流電源３３が供給する交流電流を直流電流に変換して二次電池１０に供給することで、二次電池１０を充電する。一方、停電などによって商用交流電源３３の供給が遮断されれば、充放電装置３０は、二次電池１０から放電電流の供給を受け、これを負荷３７が必要とする適正なレベルの直流電流に変換した後負荷３７に印加する。
【００４３】
上述のような機能を具現するために、二次電池管理装置２０は、高電位ライン（パック＋）の電圧をモニタリングし、停電によって電力が供給されていないと判断されれば、電流制御スイッチ部２１を放電モードで動作させることで、二次電池１０から充放電装置３０側へと放電電流を供給する。放電電流の供給が続けられれば、二次電池１０の充電状態が放電下限値まで落ちるようになり、このような場合、二次電池管理装置１０の制御部２４は電流制御スイッチ部２１をターンオフさせ、スイッチ制御部２７を統制して電源印加スイッチ部２６をターンオフさせることで、二次電池管理装置２０の動作自体を停止させる。そうすると、二次電池１０の電力がそれ以上消耗しない効果が発生する。
【００４４】
上述した実施例によれば、二次電池管理装置２０側のコネクター２２と充放電装置３０の対応のコネクター３１とが相互接続されるか相互接続の解除に従って、二次電池管理装置２０の動作の開始または終了を基本にし、選択的に、充放電装置３０から通信端子部２８に受信される通信要求信号の受信を感知して二次電池管理装置２０の動作が開始または終了され得ることを説明した。
【００４５】
しかし、その反対の実施例も可能である。すなわち、二次電池管理装置２０側の通信端子部２８と充放電装置３０の対応の通信端子部３２とが相互接続されるか相互接続の解除に従って、二次電池管理装置２０の動作の開始または終了を基本にし、選択的に、二次電池管理装置２０側のコネクター２２と充放電装置３０の対応のコネクター３１とが相互接続されるか相互接続が解除されることに従って、二次電池管理装置２０の動作を開始または終了させることも可能である。
【００４６】
また、コネクター２２と対応のコネクター３１との相互接続と相互接続の解除とを利用した二次電池管理装置２０のオン・オフ制御と、通信端子部２８を通じた通信要求信号の受信可否に従う二次電池管理装置２０のオン・オフ制御とは、何れか一方のみを選択して適用しても良く、二つのオン・オフ制御方式を共に適用することもできることは本発明が属する技術分野で通常の知識を持つ者に自明である。
【００４７】
本発明によれば、二次電池管理装置から充放電装置が接続解除されれば、電源供給ラインを通じて二次電池から電源が供給されないので、二次電池が長時間放置されても二次電池の電力が消耗することを防止することができる。また、二次電池管理装置と充放電装置との接続が維持された状態で長時間放置されても二次電池の電圧が一定のレベルまで低下すれば、電源供給ラインを通じて二次電池から供給されていた電源が遮断されるので、二次電池が過放電されることが防止できる。ひいては、停電状況が発生すれば、二次電池の放電によって充放電装置に電力が供給されるので、充放電装置が一定の時間正常に作動する。しかし、二次電池の放電によって二次電池の電圧が一定のレベルまで落ちれば、二次電池管理装置の電源消耗が中断されるので、停電状況で二次電池が過放電されることが防止できる。そして、停電が解除されれば、商用交流電源によって充放電装置が作動を始めながら通信端子部を通じて通信要求信号が受信され、高電位端子（パック＋）にも適正なレベルの電圧が維持されるので、二次電池管理装置が動作を始めて二次電池の充電及び保護動作を開始する。一方、二次電池が納品される前には二次電池管理装置に充放電装置が接続されていない状態であるので、二次電池管理装置に電源の印加が遮断されて二次電池の電力の消耗が防止できる。上述したすべての実施例において、二次電池１０の充電電流または放電電流が流れる高電位ライン（パック＋）の電圧をモニタリングし、電圧が適正なレベルであれば、二次電池管理装置２０の動作状態を維持する制御方式を選択的に適用できることは本発明が属する技術分野で通常の知識を持つ者に自明である。
【００４８】
また、上述したすべての実施例において、二次電池管理装置２０の制御部２４とスイッチ制御部２７とは個別の構成要素として説明されたが、これは機能上の区分に過ぎないため、一つの構成要素として統合できることは本発明が属する技術分野で通常の知識を持つ者に自明である。
【００４９】
また、上述した実施例において、コネクター部２２と通信端子部２８とは個別の構成要素として分離されていると説明した。しかし、コネクター部２２と通信端子部２８とは一つの構成要素として統合し得る。すなわち、コネクター部２２に通信端子部２８を統合させることもでき、その反対も可能である。このような場合、コネクター部２２と通信端子部２８とは一つの構成要素に含まれた副次的な構成要素として理解されるべきであることは自明である。
【００５０】
以上のように、本発明は、たとえ限定された実施例と図面とによって説明されたとしても、本発明はこれによって限定されず、本発明が属する技術分野において通常の知識を持つ者により本発明の技術思想と特許請求範囲の均等範囲内で多様な修正及び変形が可能なのは言うまでもない。
【符号の説明】
【００５１】
１０  二次電池
２０  二次電池管理装置
３０  充放電装置
２１  電流制御スイッチ部
２２  コネクター部
２３  電源供給ライン
２４  制御部
２５  ＢＭＳ電源部
２６  電源印加スイッチ部
２７  スイッチ制御部
２８  通信端子部
２９  セル電圧測定部
３１  対応のコネクター部
３２  対応の通信端子部
３３  商用交流電源
３４  充電ユニット
３５  定電流供給ユニット
３６  通信ユニット
３７  負荷
【図１】
0005622935.tif 000002
【図２】
0005622935.tif 000003
【図３】
0005622935.tif 000004